(57)【要約】      （修正有）【課題】レジスターの銭箱の紙幣押さえ装置の提供。【解決手段】レジスターの銭箱の紙幣枡の後端にベース２が設けられ、選定されたベースの前端部分に凹溝状の枢設部２１が設けられ、凹溝の両側に枢設孔２２が設けられ、二つの枢設孔の周囲の孔壁の端面が外向き及び下方に開放され斜めに延伸された対称状の傾斜面２３構造を構成し、二つの傾斜面後側上端の幅が狭い部分に内向きに突伸するストッパ部が形成され、各ストッパ部２４の後側に凹状の係止部２５が連続形成され、これにより逆Ｕ形の押さえ棒３の両側端の枢軸３２が枢設孔に通され、並びに該押さえ棒自身の弾性に枢設部の傾斜面、ストッパ部及び係止部の構造が組み合わされて、構造が簡単で弾性圧力を有する紙幣押さえ構造が形成されている。【選択図】図４
0003106622.tif 000002
【実用新案登録請求の範囲】
【請求項１】
レジスターの銭箱の紙幣押さえ装置において、
銭箱と、ベースと、押さえ棒を具え、
該銭箱は内部に複数の紙幣枡が区画され、
該ベースは紙幣枡の後端上方部分に凹設され、前端に凹溝状の枢設部が形成され、該枢設部の両側に枢設孔が設けられ、少なくとも一側の枢設孔の周囲端面孔壁に外側に向けて開放され斜めに延伸された傾斜面が形成され、該傾斜面と反対に位置する枢設孔周囲の幅が狭い部分に内向きに突出するストッパ部が設けられ、各ストッパ部の後側に連続して凹状の係止部が形成され、対応する二つの係止部間の距離が対応する二つの枢設孔の端面の孔壁間の距離より広く設けられ、
該押さえ棒は逆Ｕ形に形成され、後側の二端が折り曲げられて枢軸が形成され、
該押さえ棒の二つの枢軸が該ベースの枢設孔に枢設され、押さえ棒が銭箱において上下に回転可能とされて弾性圧力で紙幣を押さえることを特徴とする、レジスターの銭箱の紙幣押さえ装置。
【請求項２】
請求項１記載のレジスターの銭箱の紙幣押さえ装置において、ベースが金属板材をプレス加工してなり、複数の紙幣枡に跨設される連続構造とされ、紙幣枡に対応する部分に枢設部が設けられ、枢設部が枢設孔を具え、枢設孔の周囲端面孔壁に外側に向けて開放され斜めに延伸された傾斜面が形成され、該傾斜面と反対に位置する枢設孔周囲の幅が狭い部分に内向きに突出するストッパ部が設けられ、各ストッパ部の後側に連続して凹状の係止部が形成され、対応する二つの係止部間の距離が対応する二つの枢設孔の端面の孔壁間の距離より広く設けられたことを特徴とする、レジスターの銭箱の紙幣押さえ装置。
【請求項３】
請求項１記載のレジスターの銭箱の紙幣押さえ装置において、押さえ棒の枢軸が外向き或いは内向きに折り曲げ状を呈することを特徴とする、レジスターの銭箱の紙幣押さえ装置。
【考案の詳細な説明】
【技術分野】
【０００１】
本考案は一種のレジスターの銭箱の紙幣押さえ装置に係り、特に、構造組成が簡単で、分解及び組立製造が容易で、製造コストが低いレジスターの銭箱の紙幣押さえ装置に関する。
【背景技術】
【０００２】
商店や売り場等ではレジスタを使用して集中的に紙幣と硬貨を取り扱っている。一般的なレジスタの形式は図１のようであり、それは、レジスタ本体１０の前端に引き出し式の銭箱２０が設けられ、該銭箱２０中は複数の紙幣枡２０１と硬貨枡２０２に区分されている。そのうち、紙幣枡２０１には紙幣を押さえて銭箱２０の引き出しや押し込みに影響を与えないようにし、また紙幣の紛失を防止するために、任意に起こせる弾性押さえ棒３０が設けられている。図２に示されるのは周知の弾性押さえ棒３０と銭箱２０の組成構造関係であり、通常は逆Ｕ形の弾性押さえ棒３０後端が銭箱２０後側の選定部分に枢設され、任意に起こすことができる構造とされ、並びに弾性押さえ棒３０を枢設する選定部分には、通常引っ張りバネ、板バネ等の弾性手段４０が設けられ、弾性押さえ棒３０が下に降ろされる時に持続的に紙幣を圧迫できるものとされている。
【０００３】
周知の弾性押さえ棒３０と銭箱２０の組合せ構造は、弾性押さえ棒３０に紙幣を圧迫する機能を具備させるために更に弾性手段４０の補助を必要とし、このため構造が複雑化し、製造、組立或いは分解のプロセスが煩瑣となり、且つ比較的多くの部品を使用するため製造コストを下げることが難しい。
【考案の開示】
【考案が解決しようとする課題】
【０００４】
本考案の主要な目的は、一種のレジスターの銭箱の紙幣押さえ装置を提供することにあり、それは、レジスタの銭箱と押さえ棒の組成構造を改良することにより、紙幣を押さえる機能を達成しつつ、構造を簡易化し、分解と組立に便利とし、且つ製造コストを下げられるようにした装置であるものとする。
【課題を解決するための手段】
【０００５】
請求項１の考案は、レジスターの銭箱の紙幣押さえ装置において、
銭箱と、ベースと、押さえ棒を具え、
該銭箱は内部に複数の紙幣枡が区画され、
該ベースは紙幣枡の後端上方部分に凹設され、前端に凹溝状の枢設部が形成され、該枢設部の両側に枢設孔が設けられ、少なくとも一側の枢設孔の周囲端面孔壁に外側に向けて開放され斜めに延伸された傾斜面が形成され、該傾斜面と反対に位置する枢設孔周囲の幅が狭い部分に内向きに突出するストッパ部が設けられ、各ストッパ部の後側に連続して凹状の係止部が形成され、対応する二つの係止部間の距離が対応する二つの枢設孔の端面の孔壁間の距離より広く設けられ、
該押さえ棒は逆Ｕ形に形成され、後側の二端が折り曲げられて枢軸が形成され、
該押さえ棒の二つの枢軸が該ベースの枢設孔に枢設され、押さえ棒が銭箱において上下に回転可能とされて弾性圧力で紙幣を押さえることを特徴とする、レジスターの銭箱の紙幣押さえ装置としている。
請求項２の考案は、請求項１記載のレジスターの銭箱の紙幣押さえ装置において、ベースが金属板材をプレス加工してなり、複数の紙幣枡に跨設される連続構造とされ、紙幣枡に対応する部分に枢設部が設けられ、枢設部が枢設孔を具え、枢設孔の周囲端面孔壁に外側に向けて開放され斜めに延伸された傾斜面が形成され、該傾斜面と反対に位置する枢設孔周囲の幅が狭い部分に内向きに突出するストッパ部が設けられ、各ストッパ部の後側に連続して凹状の係止部が形成され、対応する二つの係止部間の距離が対応する二つの枢設孔の端面の孔壁間の距離より広く設けられたことを特徴とする、レジスターの銭箱の紙幣押さえ装置としている。
請求項３の考案は、請求項１記載のレジスターの銭箱の紙幣押さえ装置において、押さえ棒の枢軸が外向き或いは内向きに折り曲げ状を呈することを特徴とする、レジスターの銭箱の紙幣押さえ装置としている。
【考案の効果】
【０００６】
本考案はベース、枢設部、枢設孔、傾斜面、ストッパ部及び係止部の構造が一体成形方式で製造可能で、これに組み合わされる押さえ棒が押さえ機能を具備し、確実に製造及び組合せのプロセスを簡易化し、分解と組立に便利であり、且つ製造コストを下げて実質的な利益を増すことができる。
【０００７】
本考案のレジスターの銭箱の紙幣押さえ装置は実用性、新規性、進歩性及び産業上の利用価値を有し、ゆえに実用新案登録の要件を具備している。
【考案を実施するための最良の形態】
【０００８】
本考案によると、レジスターの銭箱の紙幣枡の後端にベースが設けられ、選定されたベースの前端部分に凹溝状の枢設部が設けられ、凹溝の両側に枢設孔が設けられ、二つの枢設孔の周囲の孔壁の端面が外向き及び下方に開放され斜めに延伸された対称状の傾斜面構造を構成し、二つの傾斜面後側上端の幅が狭い部分に内向きに突伸するストッパ部が形成され、各ストッパ部の後側に凹状の係止部が連続形成され、これにより逆Ｕ形の押さえ棒の両側端の枢軸が枢設孔に通され、並びに該押さえ棒自身の弾性に枢設部の傾斜面、ストッパ部及び係止部の構造が組み合わされて、構造が簡単で弾性圧力を有する紙幣押さえ構造が形成されている。
【実施例１】
【０００９】
図１に示されるように、本考案のレジスターの銭箱の紙幣押さえ装置は、銭箱１０の構造に対して改良を行なったものであり、レジスタのその他の機体構造については説明を省略する。本考案の紙幣押さえ装置は銭箱１０、ベース２及び押さえ棒３で構成されている。
【００１０】
図３に示されるように、本考案によると、銭箱１０は一体成形或いは組み合わせ形態の矩形の浅いトレイとされ、トレイ内に一体成形或いは組付けにより複数の隔板１０１が設けられ、これにより複数の紙幣枡１０２と硬貨枡１０３が仕切られてそれぞれ貨幣の収納に供される。
【００１１】
図４及び図５に示されるように、上述の紙幣枡１０２の後端に一体成形或いは組付け方式でベース２が設けられ、該ベース２は紙幣枡１０２の後端部分に跨設され、ただしベース２の前端部分には凹溝状の枢設部２１が設けられ、該枢設部２１の両側に枢設孔２２が設けられ、並びに二つの枢設孔２２の周囲の端面孔壁が外側及び下方に向けて開放され斜めに延伸された対称状傾斜面２３を構成し、対称状の二つの傾斜面２３の後側上端の幅が狭い部分に一体に内向きに突伸するストッパ部２４が形成され、各ストッパ部２４の後側に連続して凹状の係止部２５が形成され、対称状の二つの係止部２５間の距離がストッパ部２４間の距離より広く設けられている。
【００１２】
図４に示されるように、押さえ棒３は一体成形されてなり逆Ｕ形或いはＶ形を呈し、前端の連結部分に圧迫リング３１が嵌合され、後端の幅が枢設部２１間の幅より広く設けられ、且つ二端が外向きに折り曲げられて、ベース２の枢設孔２２と枢設される枢軸３２が形成されている。
【００１３】
これにより、押さえ棒３の二つの枢軸３２がベース２の二つの枢設孔２２中に枢設され、押さえ棒３が銭箱１０の紙幣枡１０２において上下に回転可能とされ、並びに下に降ろされる時に圧迫リング３１が銭箱１０底面を押圧する形態とされ、即ち本考案の弾性圧力を具えた紙幣押さえ装置が構成されて本考案の紙幣を押さえる目的が達成される。
【００１４】
図６に示されるように、本考案の押さえ棒３は任意に上下に回転可能で、それが紙幣を押さえる時は上述の枢設部２１がその二側の傾斜面２３を分力発生の基礎とし、図７に示されるように、押さえ棒３がそれ自身の外張力を利用して傾斜面２３に施力し、自然に下向きに回転し並びに弾性押さえ機能を具備し、ゆえに紙幣を押さえる目的を達成する。並びに図７に示されるように、使用者が紙幣を収容したいか或いは取り出したい時には、押さえ棒３を上に回して押さえ棒３の両側に傾斜面２３後側のストッパ部２４を通過させると、押さえ棒３は自身の張力により上述の係止部２５に嵌まり込んで位置決めされ、ゆえに紙幣の出し入れ操作を妨害することがない。本考案は特にベース２、枢設部２１、枢設孔２２、傾斜面２３、ストッパ部２４及び係止部２５の構造の特徴は、一体成形方式で製造可能で、組み合わされる押さえ棒３が押さえ機能を具備し、確実に製造及び組合せのプロセスを簡易化し、分解と組立に便利であり、且つ製造コストを下げて実質的な利益を増すことができる。
【００１５】
図３、４に示されるように、本考案のベース２は金属板材をプレス加工して製造可能で、複数の紙幣枡１０２に跨がる連続形態のベース２とされうる。これにより紙幣枡１０２に対応する部分には上述の枢設部２１が形成され、並びに曲げ加工で貫通状の枢設孔２２が形成され、また上述の傾斜面２３、ストッパ部２４、及び係止部２５が一体に形成される。ゆえに、製造方式は一種類に限定されるものではない。また図７及び図８に示されるように、本考案のストッパ部２４は円弧凸状形態とされ得て、押さえ棒３が更に滑らかに回転動作を行なえるものとされ、且つ該係止部２５もまた凹円弧状とされ、押さえ棒３を係止するのに供される。
【００１６】
また、図７及び図８に示されるように、本考案の逆Ｕ形の押さえ棒３の末端の二つの枢軸３２’は内向きに折り曲げられた形状に実施可能で、これにより押さえ棒３が二つの凹溝状の枢設部２１に隣接する傾斜面２３を挟み、押さえ棒３の二つの枢軸３２’がそれぞれ二つの溝状の枢設部２１に隣接する傾斜面２３の枢設孔２２中に挿入され、これにより、押さえ棒３が内向きに挟持する弾性力を保持し、上述の傾斜面２３を圧迫し、上述の紙幣を押さえる使用動作と機能を発生する。ゆえに本考案の押さえ棒３は実施要求に応じて実施方式の簡単な変更が可能であり、本考案の上述のベース２構造の特徴を運用した簡易な変更、置き換えは、いずれも本考案の請求範囲に属するものとする。
【図面の簡単な説明】
【００１７】
【図１】周知のレジスタと銭箱の立体図である。
【図２】周知の銭箱と弾性押さえ棒の断面図である。
【図３】本考案の銭箱と押さえ棒の組成表示図である。
【図４】本考案のベースの枢設部と押さえ棒の分解図である。
【図５】本考案のベースの枢設部と押さえ棒の組合せ図である。
【図６】本考案の回転可能な押さえ棒の使用状態表示図である。
【図７】本考案の押さえ棒の下圧動作表示図である。
【図８】本考案の押さえ棒の引き起し動作表示図である。
【符号の説明】
【００１８】
１０  銭箱                          １０１  隔板
１０２  紙幣枡                      １０３  硬貨枡
２  ベース                          ２１  枢設部
２２  枢設孔                        ２３  傾斜面
２４  ストッパ部                    ２５  係止部
３  押さえ棒                        ３１  圧迫リング
３２、３２’  枢軸
【図１】
0003106622.tif 000003
【図２】
0003106622.tif 000004
【図３】
0003106622.tif 000005
【図４】
0003106622.tif 000006
【図５】
0003106622.tif 000007
【図６】
0003106622.tif 000008
【図７】
0003106622.tif 000009
【図８】
0003106622.tif 000010